【手続補正書】
【提出日】平成30年12月6日(2018.12.6)
【手続補正１】
【補正対象書類名】特許請求の範囲
【補正対象項目名】全文
【補正方法】変更
【補正の内容】
【特許請求の範囲】
【請求項１】
界面動電装置を作動させるためのシステムであって、
界面動電装置を保持し前記界面動電装置と作用可能に結合するように構成された支持体と、
前記界面動電装置が前記支持体によって保持され前記支持体と作用可能に結合されているときに前記界面動電装置内の一対の電極を横切ってバイアス電圧を印加するように構成された電気信号生成サブシステムと、
前記界面動電装置が前記支持体によって保持され前記支持体と作用可能に結合されているときに前記界面動電装置に構造化光を放射するように構成された光変調サブシステムと、
前記界面動電装置が前記支持体によって保持され前記支持体と作用可能に結合されているときに光学的に作動される界面動電装置の入口ポートに流体的に結合されるように構成された遠位端を有する第１の流体ラインと、
前記界面動電装置が前記支持体によって保持され前記支持体と作用可能に結合されているときに前記光学的に作動される界面動電装置の出口ポートに流体的に結合されるように構成された近位端を有する第２の流体ラインと、
前記第１および第２の流体ラインの一方または両方に作用可能に結合された少なくとも１つの流れ制御器と
を含み、前記少なくとも１つの流れ制御器は、流体が流れることを選択的に可能にするために前記第１の流体ラインおよび前記第２の流体ラインのうちの一方と作用可能に結合された第１の熱制御式流れ制御器を含む、システム。
【請求項２】
前記電気信号生成サブシステムは、前記界面動電装置が前記支持体によって保持され前記支持体と作用可能に結合されているときに前記一対の電極を横切って印加されるバイアス電圧波形を生成するように構成された波形生成器を含む、請求項１に記載のシステム。
【請求項３】
前記電気信号生成サブシステムはさらに、前記波形生成器によって生成された前記バイアス波形を増幅するように構成された波形増幅回路を含み、前記電気信号生成サブシステムはさらに、前記バイアス電圧波形を測定するように構成されたオシロスコープを含み、前記測定からのデータは、フィードバックとして前記波形生成器に提供される、請求項２に記載のシステム。
【請求項４】
前記界面動電装置が前記支持体によって保持され前記支持体と作用可能に結合されているときに前記界面動電装置の温度を調節するように構成された熱制御サブシステムをさらに含み、前記熱制御サブシステムは、熱電発電モジュール、ペルチェ熱電装置、および冷却ユニットを含み、前記熱電発電モジュールは、前記ペルチェ熱電装置の温度を調整するように構成され、前記ペルチェ熱電装置は、前記界面動電装置の表面と前記冷却ユニットの表面との間に配置される、請求項１から３のいずれか一項に記載のシステム。
【請求項５】
前記ペルチェ熱電装置および前記熱電発電モジュールは、前記支持体上に取り付けられ、および／または前記支持体と一体化される、請求項４に記載のシステム。
【請求項６】
前記支持体はさらに、前記電気信号生成サブシステムおよび前記熱電発電モジュールの一方または両方を制御するマイクロプロセッサを含む、請求項４または５に記載のシステム。
【請求項７】
前記支持体はプリント回路基板（ＰＣＢ）を含み、前記電気信号生成サブシステム、前記熱電発電モジュール、および前記マイクロプロセッサの少なくとも１つは、前記ＰＣＢ上に取り付けられる、および／または前記ＰＣＢと一体化される、請求項６に記載のシステム。
【請求項８】
前記マイクロプロセッサと作用可能に結合された外部計算装置をさらに含み、前記外部計算装置は、オペレータ入力を受け取り、前記オペレータ入力を処理して前記マイクロプロセッサに伝送し、前記電気信号生成サブシステムおよび前記熱制御サブシステムの一方または両方を制御するように構成されたグラフィカルユーザインタフェースを含む、請求項６または７に記載のシステム。
【請求項９】
前記マイクロプロセッサは、前記電気信号生成サブシステムおよび前記熱制御サブシステムの一方または両方から検出または受信されたデータおよび／または情報を、あるいは、前記電気信号生成サブシステムおよび前記熱制御サブシステムの一方または両方から検出または受信されたデータまたは情報に基づいて計算されたデータおよび／または情報を前記外部計算装置に伝送するように構成される、請求項８に記載のシステム。
【請求項１０】
前記マイクロプロセッサおよび／または前記外部計算装置は、前記界面動電装置が前記支持体によって保持され前記支持体と作用可能に結合されているときに前記界面動電装置の前記電極を横切る電気回路のインピーダンスを測定および／または監視するように構成される、請求項８または９に記載のシステム。
【請求項１１】
前記マイクロプロセッサおよび／または前記外部計算装置は、前記電気回路の前記測定されたおよび／または監視されたインピーダンスの検出された変化に基づいて、流体経路の流量を決定するように構成され、前記流体経路は、前記界面動電装置内のマイクロ流体回路の少なくとも一部を含む、請求項１０に記載のシステム。
【請求項１２】
前記マイクロプロセッサおよび／または前記外部計算装置は、前記電気回路の前記測定されたおよび／または監視されたインピーダンスの検出された変化に基づいて前記界面動電装置の内部マイクロ流体チャンバの高さを決定するように構成される、請求項１０に記載のシステム。
【請求項１３】
前記マイクロプロセッサおよび／または前記外部計算装置は、前記電気回路の前記測定されたおよび／または監視されたインピーダンスの検出された変化に基づいて、前記界面動電装置の前記マイクロ流体回路内に含まれる化学物質および／または生物学的物質の１つまたは複数の特性を決定するように構成される、請求項１０に記載のシステム。
【請求項１４】
前記支持体および／または前記光変調サブシステムは、光学顕微鏡に取り付けられるように構成される、請求項１から１３のいずれか一項に記載のシステム。
【請求項１５】
前記支持体および／または前記光変調サブシステムは、光学顕微鏡の一体構成要素である、請求項１から１３のいずれか一項に記載のシステム。
【請求項１６】
前記界面動電装置は光学的に作動される界面動電装置である、請求項１から１５のいずれか一項に記載のシステム。
【請求項１７】
前記第１の熱制御式流れ制御器は、前記第１の流体ラインの流れセグメントに熱的に結合された第１の熱伝導性インターフェースと、前記第１の流体ラインの前記流れセグメントに含まれる流体を制御可能に凍結または解凍するのに十分な程度に前記第１の熱伝導性インターフェースの温度を制御可能に低下または上昇させて、流体が前記第１の流体ラインを介して前記界面動電装置の前記入口ポートに流入またはそれから流出することを選択的に防止するかまたは可能にするように構成された少なくとも１つの流れ制御ペルチェ熱電装置とを含む、請求項１に記載のシステム。
【請求項１８】
前記第１の熱制御式流れ制御器はさらに、
前記第１の流体ラインの前記流れセグメントがそれを通って延びる第１の通路を有する第１のハウジングであって、前記第１の熱伝導性インターフェースおよび前記少なくとも１つの流れ制御ペルチェ熱電装置をさらに含む第１のハウジング；および／または、
前記第１の熱伝導性インターフェースに近接する前記第１の流体ラインの前記流れセグメントを少なくとも部分的に取り囲む絶縁材料、
を含む、請求項１７に記載のシステム。
【請求項１９】
前記少なくとも１つの流れ制御器は、流体が流れることを選択的に可能にするために前記第１の流体ラインおよび前記第２の流体ラインのうちの他方と作用可能に結合された第２の熱制御式流れ制御器を含む、請求項１に記載のシステム。
【請求項２０】
前記第１の熱制御式流れ制御器が、
前記第１の流体ラインの流れセグメントと熱的に結合された第１の部分および前記第２の流体ラインの流れセグメントと熱的に結合された第２の部分を有する熱伝導性インターフェースと、
前記第１および第２の流体ラインの前記各流れセグメントに含まれる流体を制御可能に凍結または解凍するのに十分な程度に前記熱伝導性インターフェースの温度を制御可能に低下または上昇させて、流体が前記第１の流体ラインを介して前記界面動電装置の前記入口ポートへ流れるのを、または前記界面動電装置の前記出口ポートから前記流出流体ラインを介して流れるのを選択的に防止または許容するように構成された少なくとも１つの流れ制御ペルチェ熱電装置と
を含む、請求項１に記載のシステム。
【請求項２１】
前記少なくとも１つの流れ制御ペルチェ熱電装置は、前記第１の流体ラインの前記流れセグメントに近接して前記熱伝導性インターフェースの前記第１の部分に熱的に結合された少なくとも第１の流れ制御ペルチェ熱電装置と、前記第２の流体ラインの前記流れセグメントに近接して前記熱伝導性インターフェースの前記第２の部分に熱的に結合された第２の流れ制御ペルチェ熱電装置とを含む、請求項２０に記載のシステム。
【請求項２２】
前記第１の熱制御式流れ制御器はさらに、前記第１の流体ラインの前記流れセグメントがそれを通って延びる第１の通路と、前記流出流体ラインの前記流れセグメントがそれを通って延びる第２の通路とを有するハウジングを含み、前記熱伝導性インターフェースは前記ハウジング内に取り付けられる、請求項２０に記載のシステム。
【請求項２３】
前記光変調サブシステムは、デジタルミラーデバイス（ＤＭＤ）、マイクロシャッタアレイシステム（ＭＳＡ）、液晶ディスプレイ（ＬＣＤ）、液晶オンシリコンデバイス（ＬＣＯＳ）、強誘電性液晶オンシリコンデバイス（ＦＬＣＯＳ）、または走査型レーザ装置を含む、請求項１から２２のいずれか一項に記載のシステム。
【請求項２４】
前記光変調サブシステムは多入力ライトパイプを含み、前記ライトパイプは、
各光源から放射された光を受け取るようにそれぞれ構成された複数の入力アパーチャを有するハウジングであって、前記入力アパーチャを介して受け取られた光を放射するように構成された出力アパーチャをさらに有するハウジングと；
前記ハウジング内を第１の入力アパーチャから前記出力アパーチャまで延びる第１の光伝播経路と；
前記第１の光伝搬経路を横切って斜めの角度で前記ハウジング内に配置された第１のダイクロイックフィルタであって、前記第１の光アパーチャを介して受け取られた光が、前記第１の光伝搬経路に沿って前記出力アパーチャまで伝搬する際に前記第１のダイクロイックフィルタを通過するように構成され、配置された第１のダイクロイックフィルタと；
前記ハウジング内を第２の入力アパーチャから前記第１のダイクロイックフィルタまで延びる第２の光伝播経路であって、前記第２の伝播経路と第１のダイクロイックフィルタは、前記第２の入力アパーチャを介して受け取られた光が前記第２の光伝播経路に沿って伝播し、前記第１のダイクロイックフィルタによって前記出力アパーチャの方へ前記第１の光伝播経路上に反射されるように構成され、寸法を決められた、第２の光伝播経路と
を含み、前記各入力アパーチャ、第１および第２の光伝搬経路、第１のダイクロイックフィルタ、および出力アパーチャは、少なくとも１つの光源によって放射され、前記第１および第２の入力アパーチャの少なくとも１つを介して受け取られた光が実質的に均一の強度で前記出力アパーチャから放射されるようにサイズ決めされ、寸法決めされ、構成される、
請求項１から２３のいずれか一項に記載のシステム。